(57)【要約】【課題】装脱を簡単に行え、しかも、外観性に優れて花粉の目への侵入を効果的に防止できる眼鏡装置および眼鏡ならびに眼鏡用装着具を提供すること。【解決手段】眼鏡装置１２は、眼鏡１４と、眼鏡１４に装着される装着具１６とで構成されている。  装着具１６は、２つのリム２２の後面に装脱可能に装着される前部材４０と、前部材４０の後面に取着された後部材４２とで構成されている。鼻当て３４に枠部側係合凹部４６を係合させ、リム側係合凹部３６に枠部側係合突起４８を係合させかつ切り欠き２２０６に壁部５０を係合させて装着具１６をリム２２に装着すると、前部材４０の前面全周がリム２２の後面全周に密着し、かつ、後部材４２の後面の全周が人の目の周りの顔の皮膚の全周に接触する。【選択図】図１８
2007163625.tif 000002
【特許請求の範囲】
【請求項１】
眼鏡と前記眼鏡に装着される装着具とからなり、
前記眼鏡は、２つのレンズを保持する枠状の各リムの後面の互いに近接する箇所から後方に突出された鼻当てと、前記各リムの後面の互いに最も離れた箇所にリムの内周部から外側方に向かって窪むように形成されたリム側係合凹部とを有し、
前記装着具は、前記各リムの後面に装脱可能に装着される前部材と、前記前部材の後面に取着された後部材とで構成され、
前記前部材は、前記リムに対応した形状の枠状を呈する２つの枠部を有し、
前記後部材は、前記２つの枠部の後面の全周にわたってそれぞれ取着され、
前記前部材は形状を保持するに足る剛性および弾性を有する材料で形成され、
前記後部材は、柔軟性および弾性を有する材料で形成され、
前記各枠部の前面に、前記鼻当てに係合する枠部側係合凹部と、前記リム側係合凹部に係合する枠部側係合突起とが形成され、
前記鼻当てに枠部側係合凹部を係合させ、前記リム側係合凹部に枠部側係合突起を係合させて前記装着具をリムに装着すると、前記前部材の前面全周がリムの後面全周に密着し、
前記装着具がリムに装着された前記眼鏡が人に掛けられると、前記後部材の後面の全周が人の目の周りの顔の皮膚の全周に接触する、
ことを特徴とする眼鏡装置。
【請求項２】
前記２つの後部材の互いに近接する部分は他の部分よりも後方に突出して鼻当てパッドとして機能することを特徴とする請求項１記載の眼鏡装置。
【請求項３】
前記前部材は、前記２つの枠部を連結する連結部を有していることを特徴とする請求項１記載の眼鏡装置。
【請求項４】
前記眼鏡はサングラスであることを特徴とする請求項１記載の眼鏡装置。
【請求項５】
２つのレンズをそれぞれ保持するリムと、前記２つのリムを連結するブリッジと、各リムにヒンジを介して連結されたテンプルとを有する眼鏡であって、
前記各リムの後面の互いに近接する箇所から後方に突出された鼻当てと、前記各リムの後面の互いに最も離れた箇所にリムの内周部から外側方に向かって窪むように形成されたリム側係合凹部とを有している、
ことを特徴とする眼鏡。
【請求項６】
眼鏡に装着される眼鏡用装着具であって、
前記装着具は、眼鏡の各リムの後面に装脱可能に装着される前部材と、前記前部材の後面に取着された後部材とで構成され、
前記前部材は、前記リムに対応した形状の枠状を呈する２つの枠部を有し、
前記後部材は、前記２つの枠部の後面の全周にわたってそれぞれ取着され、
前記前部材は弾性を有する材料で形成され、
前記後部材は、柔軟性および弾性を有する材料で形成され、
前記各枠部の前面に、前記眼鏡のリムに形成された鼻当てに係合する枠部側係合凹部と、前記リム側係合凹部に係合する枠部側係合突起とが形成され、
前記鼻当てに枠部側係合凹部を係合させ、前記リム側係合凹部に枠部側係合突起を係合させて前記装着具をリムに装着すると、前記前部材の前面全周がリムの後面全周に密着し、
前記装着具がリムに装着された前記眼鏡が人に掛けられると、前記後部材の後面の全周が人の目の周りの顔の皮膚の全周に接触する、
ことを特徴とする眼鏡用装着具。
【発明の詳細な説明】
【技術分野】
【０００１】
本発明は花粉が目に入らないようにした花粉防止用の眼鏡装置および眼鏡ならびに眼鏡用装着具に関する。
【背景技術】
【０００２】
近年、花粉症に病む人が増加しており、花粉対策の一つとして、花粉が目に入らないようにした眼鏡装置が種々提案されている（例えば、特許文献１、特許文献２）。
上述の特許文献１では、筒状の防塵部を、眼鏡のリムに装着するようにしており、特許文献２では、鼻当てを挟持することで防塵具を眼鏡に装着するようにしている。
【特許文献１】特開２００４−３４１１２４
【特許文献２】特開２００５−１０７４７２
【発明の開示】
【発明が解決しようとする課題】
【０００３】
しかしながら、特許文献１では、防塵部の前端全周に前方に突出する多数の突起を設け、この多数の突起をリムの溝に嵌合することで防塵部を眼鏡に装着しているので、洗浄の際などに防塵部の装脱を簡単に行えず、また、リムに対して多数の突起を単に前後方向に結合させる構造であるため、防塵部が外れやすいという不具合を有している。
また、特許文献２の実施形態１は、鼻当てを利用して防塵部を眼鏡に装着する構造であるため、リムと防塵部との間に大きな隙間が生じ、花粉の眼への侵入を効果的に防止できない。また、このような不具合を解消するため、特許文献２の実施形態２は、透明材料からなる眼鏡部材を防塵部の開口に取り付けるようにしているが、このような構成では、眼鏡が人に装着された際、眼鏡のリムの後方に離れた箇所に、眼鏡とは別の防塵部が位置していることが明らかとなるため、見栄えが悪く外観性に劣る。
本発明は前記事情に鑑み案出されたものであって、本発明の目的は、装脱を簡単に行え、しかも、外観性に優れて花粉の目への侵入を効果的に防止できる眼鏡装置および眼鏡ならびに眼鏡用装着具を提供することにある。
【課題を解決するための手段】
【０００４】
上記目的を達成するために、本発明の眼鏡装置は、眼鏡と前記眼鏡に装着される装着具とからなり、前記眼鏡は、２つのレンズを保持する枠状の各リムの後面の互いに近接する箇所から後方に突出された鼻当てと、前記各リムの後面の互いに最も離れた箇所にリムの内周部から外側方に向かって窪むように形成されたリム側係合凹部とを有し、前記装着具は、前記各リムの後面に装脱可能に装着される前部材と、前記前部材の後面に取着された後部材とで構成され、前記前部材は、前記リムに対応した形状の枠状を呈する２つの枠部を有し、前記後部材は、前記２つの枠部の後面の全周にわたってそれぞれ取着され、前記前部材は形状を保持するに足る剛性および弾性を有する材料で形成され、前記後部材は、柔軟性および弾性を有する材料で形成され、前記各枠部の前面に、前記鼻当てに係合する枠部側係合凹部と、前記リム側係合凹部に係合する枠部側係合突起とが形成され、前記鼻当てに枠部側係合凹部を係合させ、前記リム側係合凹部に枠部側係合突起を係合させて前記装着具をリムに装着すると、前記前部材の前面全周がリムの後面全周に密着し、前記装着具がリムに装着された前記眼鏡が人に掛けられると、前記後部材の後面の全周が人の目の周りの顔の皮膚の全周に接触することを特徴とする。
また、本発明は、２つのレンズをそれぞれ保持するリムと、前記２つのリムを連結するブリッジと、各リムにヒンジを介して連結されたテンプルとを有する眼鏡であって、前記各リムの後面の互いに近接する箇所から後方に突出された鼻当てと、前記各リムの後面の互いに最も離れた箇所にリムの内周部から外側方に向かって窪むように形成されたリム側係合凹部とを有していることを特徴とする。
また、本発明は、眼鏡に装着される眼鏡用装着具であって、前記装着具は、眼鏡の各リムの後面に装脱可能に装着される前部材と、前記前部材の後面に取着された後部材とで構成され、前記前部材は、前記リムに対応した形状の枠状を呈する２つの枠部を有し、前記後部材は、前記２つの枠部の後面の全周にわたってそれぞれ取着され、前記前部材は弾性を有する材料で形成され、前記後部材は、柔軟性および弾性を有する材料で形成され、前記各枠部の前面に、前記眼鏡のリムに形成された鼻当てに係合する枠部側係合凹部と、前記リム側係合凹部に係合する枠部側係合突起とが形成され、前記鼻当てに枠部側係合凹部を係合させ、前記リム側係合凹部に枠部側係合突起を係合させて前記装着具をリムに装着すると、前記前部材の前面全周がリムの後面全周に密着し、前記装着具がリムに装着された前記眼鏡が人に掛けられると、前記後部材の後面の全周が人の目の周りの顔の皮膚の全周に接触することを特徴とする。
【発明の効果】
【０００５】
本発明では、前部材の前面全周がリムの後面全周に密着し、かつ、後部材の後面の全周が人の目の周りの顔の皮膚の全周に接触するので、花粉の目への侵入を効果的に防止でき、目にまつわる花粉症に悩む人の日常生活を快適にする上で有利となり、外観性に優れる。
また、眼鏡への装着具の装脱を簡単に行え、洗浄の際などの際に便利となる。
また、使用時に、装着具は眼鏡から外れにくく、花粉の目への侵入を効果的に防止する上で有利となる。
【発明を実施するための最良の形態】
【０００６】
以下、本発明の眼鏡装置および眼鏡ならびに眼鏡用装着具の実施の形態を図面に基づいて説明する。
図１乃至図５は眼鏡装置を構成する眼鏡の説明図で、図１は眼鏡の正面図、図２は眼鏡の側面図、図３は眼鏡の背面図、図４は図３のＡＡ断面図、図５はリムを後方から見たリム側係合凹部の背面図、図６は図５のＡＡ断面図である。
また、図７乃至図１４は眼鏡装置を構成する眼鏡用装着具の説明図で、図７は眼鏡用装着具の正面図、図８は眼鏡用装着具の背面図、図９は眼鏡用装着具の平面図、図１０は眼鏡用装着具の底面図、図１１は図１０のＡＡ断面図、図１２は図１０のＢＢ断面図、図１３は図１０のＣ矢視図、図１４は図１０のＤＤ断面図である。
また、図１５乃至図１８は眼鏡に眼鏡用装着具が装着された眼鏡装置の説明図で、図１５は眼鏡装置の正面図、図１６は眼鏡装置の側面図、図１７は眼鏡装置の背面図、図１８は眼鏡装置の断面平面図である。
また、図１９乃至図２１はそれぞれ眼鏡に眼鏡用装着具を装着する際の説明図である。
【０００７】
眼鏡装置１２は、眼鏡１４と、眼鏡１４に装着される装着具１６とで構成されている。
眼鏡１４は、本実施の形態ではサングラス（太陽光線や紫外線をカットするもののほか、単なるファッションとしてのものも含む）である。
【０００８】
眼鏡１４は、２つのレンズ２０と、２つのレンズ２０を保持する２つのリム２２と、２つのリム２２を連結するブリッジ２４と、２つのリム２２の外端からヒンジ２６を介して後方に延在する揺動可能なテンプル２８と、テンプル２８の後端に設けられたモダン３０で構成されている。
眼鏡１４がサングラスであることから、リム２２は太い幅で形成され、リム２２の外端および智３２の上下寸法も大きく形成されている。
【０００９】
リム２２はレンズ２０の外周全周を保持するように枠状に形成されている。
ブリッジ２４は、２つのリム２２の内端を連結するように設けられ、前方に凸状に形成されている。
２つのリム２２の後面の互いに近接する箇所からそれぞれ鼻当て３４が後方に突出され、鼻当て３４は、図４に示すように、後方に突条に形成されている。
また、２つのリム２２の後面の互いに最も離れた箇所にそれぞれリム側係合凹部３６が形成されている。
図５、図６に示すように、リム側係合凹部３６は、リム２２の内周部に開口してこの内周部から外側方に向かって窪むように形成されている。詳細には、リム側係合凹部３６は、前方に位置するリム２２の前面壁２２０２と、後方に位置するリム２２の後面壁２２０４とで形成され、後面壁２２０４の上下方向の中央部には、リム側係合凹部３６に連通する切り欠き２２０６が形成されている。
【００１０】
装着具１６は、図７乃至図１０に示すように、２つのリム２２の後面に装脱可能に装着される前部材４０と、前部材４０の後面に取着された後部材４２とで構成されている。
【００１１】
前部材４０は、形状を保持するに足る剛性および弾性を有する材料で形成され、このような材料として、例えば、硬質ゴムなどが用いられる。
前部材４０は、リム２２に対応した形状の枠状を呈する２つの枠部４３と、２つの枠部４３の内端を連結する連結部４４とを有している。
連結部２４は、ブリッジ２４に対応して前方に凸状に形成されている。
各枠部４３の前面に、鼻当て３４に係合する枠部側係合凹部４６と、リム側係合凹部３６に係合する枠部側係合突起４８とが形成されている。
枠部側係合凹部４６は、図７、図１１、図１８に示すように、鼻に近接する枠部４３の内端部分に、鼻当て３４に対応した形状で後方に窪むように形成され、したがって、図９、図１０に示すように、枠部側係合凹部４６が形成された前部材４０の箇所は後方に突出している。
枠部側係合突起４８は、図７、図１２、図１３、図１８に示すように、鼻から離れた枠部４３の外端部分に、リム側係合凹部３６に係合するように枠部４３の前面から側方に突出形成されている。
また、枠部４３の前面と枠部側係合突起４８の幅方向の中央とにわたり、切り欠き２２０６に係合する壁部５０が形成されている。
【００１２】
そして、鼻当て３４に枠部側係合凹部４６を係合させ、リム側係合凹部３６に枠部側係合突起４８を係合させかつ切り欠き２２０６に壁部５０を係合させて装着具１６をリム２２に装着すると、ブリッジ２４に連結部４４が合わされ、前部材４０の前面全周がリム２２の後面全周に密着するように構成されている。
なお、装着具１６のリム２２への装着は、鼻当て３４に枠部側係合凹部４６を係合させたのち、枠部４３を撓ませつつリム側係合凹部３６に枠部側係合突起４８を係合させかつ切り欠き２２０６に壁部５０を係合させてもよく、あるいは、リム側係合凹部３６に枠部側係合突起４８を係合させかつ切り欠き２２０６に壁部５０を係合させたのち、枠部４３を撓ませつつ鼻当て３４に枠部側係合凹部４６を係合させるようにしてもよい。
【００１３】
後部材４２は、顔の皮膚に柔らかく優しくし接触できるように柔軟性および弾性を有する材料で形成され、このような材料として、例えば、スポンジゴムなどが用いられる。
図９、図１０に示すように、２つの後部材４２の互いに近接する部分は、前部材４０に枠部側係合凹部４６が後方に窪むように形成されていることから、他の部分よりも後方に突出している。
装着具１６がリム２２に装着された眼鏡１４が人に掛けられると、後部材４２の後面の全周が人の目の周りの顔の皮膚の全周に接触するように形成され、２つの後部材４２の互いに近接する部分で後方に突出する部分は鼻当てパッドとして機能する。
【００１４】
本実施の形態の眼鏡装置１２によれば、鼻当て３４に枠部側係合凹部４６を係合させ、リム側係合凹部３６に枠部側係合突起４８を係合させかつ切り欠き２２０６に壁部５０を係合させて装着具１６をリム２２に装着すると、前部材４０の前面全周がリム２２の後面全周に密着し、かつ、後部材４２の後面の全周が人の目の周りの顔の皮膚の全周に接触するので、花粉の目への侵入を効果的に防止でき、目にまつわる花粉症に悩む人の日常生活を快適にする上で有利となる。
また、枠部４３を撓ませ、鼻当て３４に枠部側係合凹部４６を係合させ、リム側係合凹部３６に枠部側係合突起４８を係合させる構成であるので、眼鏡１４への装着具１６の装脱を簡単に行え、洗浄の際などの際に便利となる。
また、鼻当て３４に枠部側係合凹部４６を係合させ、リム側係合凹部３６に枠部側係合突起４８を係合させる構成であり、枠部４３の弾性を利用して左右方向においてリム２２に枠部４３を係脱可能に結合する構成であるので、使用時に、従来のように前後方向に結合させる構成に比べて外れにくく、花粉の目への侵入を効果的に防止する上で有利となる。
【００１５】
また、本実施の形態では、眼鏡１４がサングラスであることから、リム２２は太い幅で形成され、リム２２の外端および智３２の上下寸法も大きく形成され、したがって、図１５に示すように、装着具１６がリム２２に装着された眼鏡１４が掛けられた人を前方から見ると、リム２２により装着具１６の大半が隠され、また、図１６に示すように、側方から見ても、リム２２の外端および智３２によりリム２２により装着具１６の大半が隠され、したがって、見栄えが良く外観性に優れる。
また、眼鏡１４は鼻当て３４を有しているので、装着具１６を外した際には、眼鏡１４単体としても使用できる。本実施の形態では、眼鏡１４はサングラスであるため、サングラス単体として使用できる。
また、眼鏡１４単体として使用する際、リム側係合凹部３６は、リム２２の内周部から外側方に向かって窪むように形成されているので、リム側係合凹部３６が目の周りの皮膚に接触し不快感を与えるなどの不具合もない。
【００１６】
なお、本実施の形態では、眼鏡１４がサングラスである場合について説明したが、本発明は、度付きのレンズが装着された通常の眼鏡にも無論適用可能である。
また、眼鏡装置１２の用途は花粉防止用のみに限定されず、粉塵などが目に侵入することを防止する場合などにも無論適用可能である。
【図面の簡単な説明】
【００１７】
【図１】眼鏡の正面図である。
【図２】眼鏡の側面図である。
【図３】眼鏡の背面図である。
【図４】図３のＡＡ断面図である。
【図５】リムを後方から見たリム側係合凹部の背面図である。
【図６】図５のＡＡ断面図である。
【図７】眼鏡用装着具の正面図である。
【図８】眼鏡用装着具の背面図である。
【図９】眼鏡用装着具の平面図である。
【図１０】眼鏡用装着具の底面図である。
【図１１】図１０のＡＡ断面図である。
【図１２】図１０のＢＢ断面図である。
【図１３】図１０のＣ矢視図である。
【図１４】図１０のＤＤ断面図である。
【図１５】眼鏡装置の正面図である。
【図１６】眼鏡装置の側面図である。
【図１７】眼鏡装置の背面図である。
【図１８】眼鏡装置の断面平面図である。
【図１９】眼鏡に眼鏡用装着具を装着する際の説明図である。
【図２０】眼鏡に眼鏡用装着具を装着する際の説明図である。
【図２１】眼鏡に眼鏡用装着具を装着する際の説明図である。
【符号の説明】
【００１８】
１２……眼鏡装置、１４……眼鏡、１６……装着具、２２……リム、２４……ブリッジ、２８……テンプル、３４……鼻当て、３６……リム側係合凹部、４０……前部材、４２……後部材、４６……枠部側係合凹部、４８……枠部側係合突起。
【図１】
2007163625.tif 000003
【図２】
2007163625.tif 000004
【図３】
2007163625.tif 000005
【図４】
2007163625.tif 000006
【図５】
2007163625.tif 000007
【図６】
2007163625.tif 000008
【図７】
2007163625.tif 000009
【図８】
2007163625.tif 000010
【図９】
2007163625.tif 000011
【図１０】
2007163625.tif 000012
【図１１】
2007163625.tif 000013
【図１２】
2007163625.tif 000014
【図１３】
2007163625.tif 000015
【図１４】
2007163625.tif 000016
【図１５】
2007163625.tif 000017
【図１６】
2007163625.tif 000018
【図１７】
2007163625.tif 000019
【図１８】
2007163625.tif 000020
【図１９】
2007163625.tif 000021
【図２０】
2007163625.tif 000022
【図２１】
2007163625.tif 000023